【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
Ａ）合成有機ポリマー又はプレポリマー及び
Ｂ）光、酸素及び／又は熱の損傷影響に対する安定剤としての、式Ｉ
【化１】
1998045729.tif 000001
〔式中、Ｚは式ＩＩ
【化２】
1998045729.tif 000002
の基を表すか、又は式ＩＩＩ
【化３】
1998045729.tif 000003
の基を表し；
Ｒ1、Ｒ5、Ｒ11とＲ15は、互いに独立して、Ｈ、炭素原子数１ないし１２のアルキル基、炭素原子数３ないし６のアルケニル基、炭素原子数１ないし１２のアルコキシ基、炭素原子数３ないし６のアルケノキシ基、ハロゲン原子又は−ＣＮを表し；
Ｒ2、Ｒ3、Ｒ4、Ｒ12、Ｒ13とＲ14は、互いに独立して、Ｈ、炭素原子数１ないし１２のアルキル基、炭素原子数２ないし６のアルケニル基、炭素原子数１ないし１２のアルコキシ基、炭素原子数３ないし６のアルケノキシ基、フェニル基、ハロゲン原子、トリフルオロメチル基；炭素原子数７ないし１１のフェニルアルキル基；フェニルオキシ基；又は−ＣＮを表し；
Ｒ7とＲ17は、互いに独立して、式ＩＶ、ＶとＶＩ
【化４】
1998045729.tif 000004
（式中、ｍは１ないし１２の範囲の数を表し；
Ｒ6は炭素原子数１ないし１６のアルキル基、−ＣＯＯＲ8又はフェニル基を表し；
Ｒ8はＨ、炭素原子数１ないし１８のアルキル基、炭素原子数３ないし１８のアルケニル基、炭素原子数５ないし１２のシクロアルキル基、（炭素原子数１ないし４のアルキル）シクロヘキシル基、フェニル基、（炭素原子数７ないし１４のアルキル）フェニル基、炭素原子数６ないし１５のビシクロアルキル基、炭素原子数６ないし１５のビシクロアルケニル基、炭素原子数６ないし１５のトリシクロアルキル基、炭素原子数６ないし１５のビシクロアルキル−アルキル基又は炭素原子数７ないし１１のフェニルアルキル基を表し、そして、Ｚが式ＩＩの基を表す場合は、追加してＯにより中断されている炭素原子数２ないし５０のアルキル基を包含し；
Ｒ9は炭素原子数２ないし１４のアルキル基、フェニル基、又はＯにより中断されている炭素原子数２ないし５０のアルキル基を表すか；又はフェニル基で、フェノキシ基で、（炭素原子数１ないし４のアルキル）シクロヘキシル基で、（炭素原子数１ないし４のアルキル）シクロヘキシルオキシ基で、炭素原子数５ないし１２のシクロアルキル基で又は炭素原子数５ないし１２のシクロアルコキシ基で置換された炭素原子数１ないし１４のアルキル基を表し；
Ｒ10はＨ、炭素原子数１ないし１７のアルキル基、炭素原子数１ないし１２のアルコキシ基、フェノキシ基、フェニル基、炭素原子数７ないし１１のフェニルアルキル基、炭素原子数７ないし１４のアルキルフェノキシ基、炭素原子数７ないし１１のフェニルアルコキシ基、炭素原子数６ないし１２のシクロアルキル基、（炭素原子数１ないし４のアルキル）−シクロヘキシルオキシ基、炭素原子数６ないし１２のシクロアルコキシ基、炭素原子数７ないし１１のシクロヘキシルアルキル基、炭素原子数７ないし１１のシクロヘキシルアルコキシ基、炭素原子数６ないし１５のビシクロアルキル基、炭素原子数６ないし１５のビシクロアルケニル基、炭素原子数６ないし１５のトリシクロアルキル基、炭素原子数６ないし１５のビシクロアルコキシ基、炭素原子数６ないし１５のビシクロアルケノキシ基、炭素原子数６ないし１５のトリシクロアルコキシ基又はフェニル−ＮＨ−を表し；
Ｒ16は水素原子を表すか又はＲ6についてと同じに定義され；又は
Ｒ6とＲ16は一緒になって炭素原子数４ないし１１のアルキレン基を表し
そしてＲ18は炭素原子数３ないし１０のアルキレン基を表す。）のうち一つで表される基を表す。〕により表される化合物（但し、式中、Ｚが式ＩＩＩの基を表しそしてＲ1とＲ5の両方がアルキル基を表す化合物、及び式中、Ｒ3又はＲ13がフェニル基を表しそしてＲ7又はＲ17が式ＶＩの基を表すか又はＲ16が水素原子を表す化合物を除外する。）により表される化合物からなる組成物。
【請求項２】
光、酸素及び／又は熱による損傷に対して合成有機ポリマー又はプレポリマーを安定化する方法であって、安定剤として請求項１記載の安定剤を有機合成ポリマー又はプレポリマーに添加することからなる方法。
【請求項３】
式Ｉ’
【化５】
1998045729.tif 000005
（式中、Ｚは式ＩＩ’
【化６】
1998045729.tif 000006
の基を表すか、又は式ＩＩＩ’
【化７】
1998045729.tif 000007
の基を表し；
Ｒ1、Ｒ5、Ｒ11とＲ15は、互いに独立して、Ｈ、炭素原子数１ないし１２のアルキル基、炭素原子数３ないし６のアルケニル基、炭素原子数１ないし１２のアルコキシ基、炭素原子数３ないし６のアルケノキシ基、ハロゲン原子又は−ＣＮを表し；
Ｒ2、Ｒ3、Ｒ4、Ｒ12、Ｒ13とＲ14は、互いに独立して、Ｈ、炭素原子数１ないし１２のアルキル基、炭素原子数２ないし６のアルケニル基、炭素原子数１ないし１２のアルコキシ基、炭素原子数３ないし６のアルケノキシ基、フェニル基、ハロゲン原子、トリフルオロメチル基；炭素原子数７ないし１１のフェニルアルキル基；フェニルオキシ基又は−ＣＮを表し；
Ｒ7とＲ17は、互いに独立して、式ＩＶ’、Ｖ’とＶＩ’
【化８】
1998045729.tif 000008
（式中、ｍは１ないし１２の範囲の数を表し；
Ｒ6は炭素原子数１ないし１６のアルキル基、−ＣＯＯＲ8又はフェニル基を表し；
Ｒ8はＨ、炭素原子数１ないし１８のアルキル基、炭素原子数３ないし１８のアルケニル基、炭素原子数５ないし１２のシクロアルキル基、（炭素原子数１ないし４のアルキル）シクロヘキシル基、フェニル基、（炭素原子数７ないし１４のアルキル）フェニル基、炭素原子数６ないし１５のビシクロアルキル基、炭素原子数６ないし１５のビシクロアルケニル基、炭素原子数６ないし１５のトリシクロアルキル基、炭素原子数６ないし１５のビシクロアルキル−アルキル基又は炭素原子数７ないし１１のフェニルアルキル基を表し、そして、Ｚが式ＩＩの基を表す場合は、追加してＯにより中断されている炭素原子数２ないし１８のアルキル基を包含し；
Ｒ9は炭素原子数２ないし１４のアルキル基又はフェニル基を表すか；又はフェニル基で、フェノキシ基で、（炭素原子数１ないし４のアルキル）シクロヘキシル基で、（炭素原子数１ないし４のアルキル）シクロヘキシルオキシ基で、炭素原子数５ないし１２のシクロアルキル基で又は炭素原子数５ないし１２のシクロアルコキシ基で置換された炭素原子数１ないし１４のアルキル基を表し；
Ｒ10はＨ、炭素原子数１ないし１７のアルキル基、炭素原子数１ないし１２のアルコキシ基、フェノキシ基、フェニル基、炭素原子数７ないし１１のフェニルアルキル基、炭素原子数７ないし１４のアルキルフェノキシ基、炭素原子数７ないし１１のフェニルアルコキシ基、炭素原子数６ないし１２のシクロアルキル基、（炭素原子数１ないし４のアルキル）−シクロヘキシルオキシ基、炭素原子数６ないし１２のシクロアルコキシ基、炭素原子数７ないし１１のシクロヘキシルアルキル基、炭素原子数７ないし１１のシクロヘキシルアルコキシ基、炭素原子数６ないし１５のビシクロアルキル基、炭素原子数６ないし１５のビシクロアルケニル基、炭素原子数６ないし１５のトリシクロアルキル基、炭素原子数６ないし１５のビシクロアルコキシ基、炭素原子数６ないし１５のビシクロアルケノキシ基、炭素原子数６ないし１５のトリシクロアルコキシ基又はフェニル−ＮＨ−を表し；
Ｒ16はＲ6についてと同じに定義されそして、Ｚが式ＩＩの基を表す場合は、追加して水素原子を表し；そして
Ｒ18は炭素原子数３ないし１０のアルキレン基を表す。）のうち一つで表される基を表す。〕により表される化合物（但し、式中、Ｚが式ＩＩＩ の基を表しそしてＲ1とＲ5の両方がアルキル基を表す化合物、及び式中、Ｒ3又はＲ13がフェニル基を表しそしてＲ7又はＲ17が式ＶＩ’の基を表すか又はＲ16が水素原子を表す化合物を除外する。）。
【請求項４】
Ａ）光、酸素及び／又は熱による損傷を受け易い有機材料、及び
Ｂ）安定剤として、請求項３記載の式Ｉ’の化合物少なくとも１種
からなる組成物。
【請求項５】
化合物：２，４−ジフェニル−６−（２’−ヒドロキシ−４’（２’’−ヒドロキシシクロヘキシルオキシ）フェニル）−１，３，５−トリアジン、
２−フェニル−４，６−ビス（２’−ヒドロキシ−４’−（２’ ’−ヒドロキシシクロヘキシルオキシ）フェニル）−１，３，５−トリアジン
のうち一つ。